(57)【要約】 【課題】カートリッジ筐体の強度を損なうことなく、且つ、簡単な構成で内部のホログラム記録材料を加熱すること。【解決手段】カートリッジ型ホログラム記録媒体２０のカートリッジ筐体３０１に、電磁誘導加熱体３０４を設け、これにホログラム装置に配置されている磁力発生装置４００から出力される磁力を照射して発熱させてカートリッジ筐体３０１に収納されているホログラム記録材料３０２を加熱することにより、カートリッジ筐体３０１の強度を損なうことなく、且つ、簡単な構成で内部のホログラム記録材料３０２を加熱することができる。【選択図】図１
2007018597.tif 000002
【特許請求の範囲】
【請求項１】
ホログラム記録材料をカートリッジ筐体に収納して成るカートリッジ型ホログラム記録媒体であって、
前記カートリッジ筐体内部に、電磁誘導加熱体を設けたことを特徴とするカートリッジ型ホログラム記録媒体。
【請求項２】
前記電磁誘導加熱体はホログラム記録材料の一部分に近接した位置に配設されていることを特徴とする請求項１記載のカートリッジ型ホログラム記録媒体。
【請求項３】
前記ホログラム記録材料の前記電磁誘導加熱体に近接した部分は、当該ホログラム記録材料にアクセスしてデータの記録再生を行う光ピックアップの前記アクセス領域から離れた場所にあることを特徴とする請求項２記載のカートリッジ型ホログラム記録媒体。
【請求項４】
ホログラム記録材料をカートリッジ筐体に収納して成るカートリッジ型ホログラム記録媒体であって、
前記カートリッジ筐体に、ループアンテナを有する発熱体を設けたことを特徴とするカートリッジ型ホログラム記録媒体。
【請求項５】
前記ループアンテナを有する発熱体はホログラム記録材料の一部分に近接した位置に配設されていることを特徴とする請求項４記載のカートリッジ型ホログラム記録媒体。
【請求項６】
前記ホログラム記録材料の前記アンテナを有する発熱体に近接した部分は、当該ホログラム記録材料にアクセスしてデータの記録再生を行う光ピックアップの前記アクセス領域から離れた場所にあることを特徴とする請求項５記載のカートリッジ型ホログラム記録媒体。
【請求項７】
カートリッジ型ホログラム記録媒体に対してデータを記録再生するホログラム装置であって、
前記カートリッジ型ホログラム記録媒体が装置にセットされたときに、前記カートリッジ型ホログラム記録媒体のカートリッジ筐体の特定の部分に近接するように配置された磁力発生装置を具備する、
ことを特徴とするホログラム装置。
【請求項８】
前記前記カートリッジ型ホログラム記録媒体に収納されているホログラム記録材料の記録または再生領域の温度を検出する温度センサを具備することを特徴とする請求項７記載のホログラム装置。
【請求項９】
カートリッジ型ホログラム記録媒体に対してデータを記録再生するホログラム装置であって、
前記カートリッジ型ホログラム記録媒体が装置にセットされたときに、前記カートリッジ型ホログラム記録媒体のカートリッジ筐体の特定の部分に近接するように配置されたマイクロ波発生装置を具備する、
ことを特徴とするホログラム装置。
【請求項１０】
前記前記カートリッジ型ホログラム記録媒体に収納されているホログラム記録材料の記録または再生領域の温度を検出する温度センサを具備することを特徴とする請求項９記載のホログラム装置。
【発明の詳細な説明】
【技術分野】
【０００１】
本発明は、信号光と参照光の干渉縞をホログラム記録媒体に記録再生するホログラム装置に係り、特にカートリッジ型ホログラム記録媒体の温度補正に関する。
【背景技術】
【０００２】
従来ホログラムデータストレージの記録時には、信号光と参照光の２光束が干渉する領域にホログラム記録媒体を配置して、前記２光束の干渉縞をホログラム記録媒体に記録するものである。その際に、ホログラム記録媒体への記録密度を向上させるため、角度多重方式をはじめ、シフト多重方式、スペックル多重方式及び位相コード多重方式などの各種多重方式によるホログラムの多重記録が行われている。
【０００３】
例えば角度多重方式によるホログラム記録装置では、信号光と参照光の２光束をホログラム記録媒体に照射するが、信号光を空間変調器（ＳＬＭ）に表示されるデータページで空間変調（強度分布変調）する毎に、参照光のホログラム記録媒体への入射角（記録角度）を変化させて同一記録領域に異なる記録情報を多重記録するものである。
【０００４】
このようなホログラム記録装置では、記録媒体としては主としてフォトポリマーを用いて実用化への検討を行われている場合が多い。しかしながら、フォトポリマーの場合、熱による体積変化が発生してしまう。前記体積変化が発生した場合、記録されている波面の情報は間隔が変わってしまう。その為、参照光の回折角が見かけ上変わってしまい、所望の再生画像が得られない可能性がある。そこで、前記体積変化を補正するために、ホログラム記録媒体の温度補正技術が何点か考案されている。たとえば、ドライブ自体を暖める方法や、参照光の角度を微少に調整することで回避する方法、レーザの波長を変えて回折角の変化を相殺する方法などがある。しかしながら、従来型の光記録、再生装置に置ける一般的な温度仕様範囲では前記体積変化の現象の全てをカバーすることは不可能に近い。
【０００５】
また、フォトポリマー材料の場合、温度が一定であっても、記録していくと、モノマーがポリマーに変化する際に体積収縮を生じ、前記体積変化と同様の問題点が見られることになる。
【０００６】
従って、何らかの方法で記録媒体を一定の温度に暖める方法が提案されている（例えば特許文献１参照）。これには記録媒体の温度を一定に保つという目的がある一方で、ある程度の高温に暖めておくことで、記録媒体であるフォトポリマーの動きを活性化して、露光時間を短くしたり、記録光の光量を減らすという目的も有している。
【０００７】
フォトポリマーは感光性が高くケースに入れて保管しないと性能劣化が生じるので、カートリッジ型のケースに入れて使用することで、環境光による露光を防止している。図６は従来のカートリッジ型記録メディアの構成例を示した平面図である。カートリッジ型ホログラム記録媒体２０は、４角形状のカートリッジ筐体１０２にディスク形状のホログラム記録材料１０１が回転自在に収納されており、さらに、カートリッジ筐体１０２の前面には光ピックアップを内部のホログラム記録材料１０１にアクセスさせるためのシャッター１０３が取り付けられており、装置に挿入した時に開くことができるようなケースや記録再生装置の構造になっている。
【特許文献１】特開平７−２６１６４２号公報  （第３頁、第１図）
【発明の開示】
【発明が解決しようとする課題】
【０００８】
しかしながら、カートリッジ型ホログラム記録媒体２０はカートリッジ筐体１０２にホログラム記録材料１０１が収納された構成であるため、カートリッジ筐体１０２にホログラム記録材料１０１が収納された状態ではホログラム記録材料１０１を直接加熱および冷却することが困難である。それは、カートリッジ筐体１０２に対して、直接ヒーターや冷却装置を設けることが物理的に困難なことと、仮にヒーターや冷却装置を設けるとしても、それらを配置するためにカートリッジ筐体１０２に専用の開口１０４（図６参照）などを設けなければならない。それ故、構造が複雑になってカートリッジ型ホログラム記録媒体２０の組み立て性が悪化し、そのコストが高くなる。そして、開口部分が増えると、環境光がフォトポリマーに暴露される可能性が増え、それ故に遮光性を挙げる必要がある。さらに、シャッター１０３に隠れている光ピックアップアクセス用の開口の他に、開口１０４がカートリッジ筐体１０２に設けられるため、カートリッジ筐体１０２の強度不足を招くと同時に、開口部は熱が逃げ易い為に、カートリッジ筐体１０２の前面側と背面側に温度勾配を生じることになる。このような温度勾配があると、ホログラム記録材料１０１の前面側と背面側に同様の温度勾配が生じ、記録した干渉縞の間隔が途中で変化し、それこそ再生不可能な状態になる。
【０００９】
本発明は前記事情に鑑み案出されたものであって、本発明の目的は、カートリッジ筐体の強度を損なうことなく、且つ、簡単な構成で内部のホログラム記録材料を加熱することができるカートリッジ型ホログラム記録媒体及びこのカートリッジ型ホログラム記録媒体を記録再生するホログラム装置を提供することにある。
【課題を解決するための手段】
【００１０】
本発明は上記目的を達成するため、ホログラム記録材料をカートリッジ筐体に収納して成るカートリッジ型ホログラム記録媒体であって、前記カートリッジ筐体の内部に、電磁誘導加熱体を設けたことを特徴とする。
【００１１】
また、本発明は、カートリッジ型ホログラム記録媒体に対してデータを記録再生するホログラム装置であって、前記カートリッジ型ホログラム記録媒体が装置にセットされたときに、前記カートリッジ型ホログラム記録媒体のカートリッジ筐体の特定の部分に近接するように配置された磁力発生装置を具備することを特徴とする。
【００１２】
このように本発明では、カートリッジ型ホログラム記録媒体のカートリッジ筐体に、電磁誘導加熱体を設け、このカートリッジ型ホログラム記録媒体をホログラム装置にセットすると、装置に配置されている磁力発生装置が電磁誘導加熱体に近接する。この磁力発生装置から出力される磁力で電磁誘導加熱体に誘導される渦電流により発熱して、カートリッジ筐体に収納されているホログラム記録材料を加熱する。これにより、カートリッジ筐体に光ピックアップがアクセスする開口部以外の開口部を設けることなくホログラム記録材料を加熱することができ、カートリッジ筐体の強度を損なうことなく、且つ、簡単な構成で内部のホログラム記録材料を加熱することができる。また、光ピックアップがアクセスする開口部以外の開口部が無いため、カートリッジ筐体３０１内部に温度勾配ができにくく、したがってホログラム記録材料に記録された干渉縞の間隔が途中で変わることがなくなり、正常な記録再生を行うことができる。
【発明の効果】
【００１３】
本発明によれば、カートリッジ型ホログラム記録媒体のカートリッジ筐体に、電磁誘導加熱体を設け、これにホログラム装置に配置されている磁力発生装置から出力される磁力を照射して発熱させてカートリッジ筐体に収納されているホログラム記録材料を加熱することにより、カートリッジ筐体の強度を損なうことなく、且つ、簡単な構成で内部のホログラム記録材料を加熱することができる。
【発明を実施するための最良の形態】
【００１４】
カートリッジ筐体の強度を損なうことなく、且つ、簡単な構成で内部のホログラム記録材料を加熱する目的を、カートリッジ型ホログラム記録媒体のカートリッジ筐体に、電磁誘導加熱体を設け、これにホログラム装置に配置されている磁力発生装置の磁力が照射して加熱してカートリッジ筐体に収納されているホログラム記録材料を加熱することによって実現した。カートリッジ部品は射出成形で作られる為に、上記加熱体は内部に埋め込み成形することが可能である。
【実施例１】
【００１５】
図１は本発明の第１の実施形態に係わるカートリッジ型ホログラム記録媒体の構成を示した平面図ある。カートリッジ型ホログラム記録媒体２０は、カートリッジ筐体３０１にホログラム記録材料３０２が収納され、また、開閉自在のシャッター３０３が取り付けてある。さらに、カートリッジ型ホログラム記録媒体２０のカートリッジ筐体３０１には鉄板などの電磁誘導発熱体３０４が埋設されている。この場合、シャッター３０３は閉じた状態である。但し、電磁誘導発熱体３０４は鉄の他にニッケルなど誘導電流が発生する物であれば何でもでも良い。
【００１６】
図２は図１に示したカートリッジ型ホログラム記録媒体をホログラム装置にセットした場合の断面図である。この場合、シャッター３０３は開いた状態である。カートリッジ型ホログラム記録媒体２０をホログラム装置にセットすると、カートリッジ筐体３０１に埋設されている電磁誘導発熱体３０４に近接する位置に磁力発生装置４００が来るように、この磁力発生装置４００がホログラム装置に内蔵されている。また、ホログラム装置には、図示されない光ピックアップがアクセスするホログラム記録材料３０２の記録または再生領域に近接して、赤外線温度センサ４０１が配置されている。４０３はホログラム装置の記録再生制御などの個別制御及び装置全体の制御を司るシステム制御部で、システム制御部４０３は赤外線温度センサ４０１の温度に基づいて電磁誘導発熱体３０４の出力を制御する。
【００１７】
次に本実施形態の動作について説明する。カートリッジ型ホログラム記録媒体２０をホログラム装置にセットするとシャッター３０３が開き、図２に示したように、カートリッジ筐体３０１に埋設されている電磁誘導発熱体３０４に近接する位置に磁力発生装置４００が来る。システム制御部４０３はホログラム記録材料３０２の記録領域の温度を所定温度にした後、データの記録または再生を行う。赤外線温度センサ４０１はホログラム記録材料３０２の記録領域の温度を検出してシステム制御部４０３に送る。システム制御部４０３は、この温度が予め決められた所定の温度になるように、磁力発生装置４００に流す高周波電流を制御して電磁誘導発熱体３０４を加熱する。
【００１８】
これにより、電磁誘導発熱体３０４は直下にあるホログラム記録材料３０２の加熱領域を加熱する。この時、ホログラム記録材料３０２が回転しているため、加熱領域が回転移動して光ピックアップがアクセスする場所に来ると記録領域になり、この記録領域になった時の温度が所定温度になるように、磁力発生装置４００に流す高周波電流がシステム制御部４０３により制御される。こうして、記録領域が所定の温度になると、データの記録または再生が開始される。
【００１９】
本実施形態によれば、内蔵するホログラム記録材料３０２を加熱するのにカートリッジ筐体３０１に電磁誘導発熱体３０４を埋設するだけで良いため、光ピックアップがアクセスする開口部以外に開口部を設ける必要が無いため、カートリッジ筐体３０１の強度を損なうことなく、且つ、簡単な構成で内部のホログラム記録材料３０２を加熱することができる。また、電磁誘導発熱体３０４に鉄板などを用いれば、安価であると共に、カートリッジ筐体３０１の強度を増すことができる。また、光ピックアップがアクセスする開口部以外の開口部が無いため、カートリッジ筐体３０１内部に温度勾配ができにくく、したがってホログラム記録材料３０２に記録された干渉縞の間隔が途中で変わってしまうことがなくなり、正常な記録再生を行うことができる。
【００２０】
また、電磁誘導発熱体３０４によるホログラム記録材料３０２の加熱領域と、記録領域が異なり、その間にホログラム記録材料３０２の半周分の距離があるため、記録領域の近傍の空気をそれ程暖めることなく、この領域の温度を所定温度にすることができる。それ故、光ピックアップから照射される信号光及び参照光光路での屈折率変化や揺らぎ（再生時は参照光の光路での屈折率変化や揺らぎ）は実用上問題がない程度に抑えることができるため、データの記録再生を正常に行うことができる。これと共に、記録時と再生時のホログラム記録材料３０２の温度差を無くすことができるため、ホログラム記録材料３０２の収縮膨張の度合いを非常に少なくすることができるため再生データの劣化を抑えて、品質の劣化がないデータを正常に再生することができる。
【００２１】
尚、電磁誘導発熱体３０４をインナ成形によって成形すると、カートリッジ型ホログラム記録媒体２０のコストをさらに低減することができる。また、電磁誘導発熱体３０４はカートリッジ筐体３０１の内側に貼り付けても良い。さらに、電磁誘導発熱体３０４をホログラム記録材料３０２の温度補正に使用しない場合は、通常のカートリッジ型ホログラム記録媒体と同様に使用することができる。さらに、電磁誘導発熱体をシャッターと兼ねることにより、さらなる構造の簡素化を図ることができるため、一層のコストダウンを行うことができる。
【実施例２】
【００２２】
図３は本発明の第２の実施形態に係わるカートリッジ型ホログラム記録媒体の構成を示した断面図である。カートリッジ型ホログラム記録媒体２０は、カートリッジ筐体３０１にホログラム記録材料３０２が収納され、また、開閉自在のシャッター３０３が取り付けてある。さらに、カートリッジ型ホログラム記録媒体２０のカートリッジ筐体３０１にはループ型のアンテナ線を有する発熱体３０５が埋設されている。この場合、カートリッジ型ホログラム記録媒体２０をホログラム装置にセットした状態でシャッター３０３は開いた状態である。
【００２３】
図４はアンテナ線を有する発熱体３０５の構成を示した平面図である。ループ状のアンテナ線３０６がフィルムなどに内包されている。
【００２４】
カートリッジ型ホログラム記録媒体２０をホログラム装置にセットすると、シャッター３０３が開き、カートリッジ筐体３０１に埋設されている発熱体３０５に近接する位置にマイクロ波発生装置４０４が来る。赤外線温度センサ４０１はホログラム記録材料３０２の記録領域の温度を検出してシステム制御部４０３に送る。システム制御部４０３は、この温度が予め決められた所定の温度になるように、マイクロ波発生装置４０４の出力を制御して発熱体３０５を発熱させる。ここで、マイクロ波発生装置４０４から発生するマイクロ波を発熱体３０５のループ状のアンテナ線３０６が受信すると、このアンテナ線３０６に高周波電流が流れて発熱する。これにより、発熱体３０５の直下にあるホログラム記録材料３０２の加熱領域が加熱される。
【００２５】
本実施形態によれば、内蔵するホログラム記録材料３０２を加熱するのにカートリッジ筐体３０１にアンテナ線３０６を有する発熱体３０５を埋設するだけで良く、第１の実施の形態と同様の構成を採ることができ、同様の効果がある。
【００２６】
尚、本発明は上記実施形態に限定されることなく、その要旨を逸脱しない範囲において、具体的な構成、機能、作用、効果において、他の種々の形態によっても実施することができる。例えば、上記実施の形態では、電磁誘導発熱体３０４、発熱体３０５共に非接触で発熱する構成であったが、図５に示すように、抵抗発熱体３０７をカートリッジ筐体３０１に埋設すると共に、この抵抗発熱体３０７に電流を流す接点３０９、３１０を設け、カートリッジ型ホログラム記録媒体２０をホログラム装置にセットした時に、これら接点３０９、３１０が装置側に設けてある電流供給用接点（図示せず）に接続し、この電流供給用接点を通して抵抗発熱体３０７に流す電流を制御することにより、抵抗発熱体３０７の直下にあるホログラム記録材料（図示せず）の加熱領域を加熱するような構成としても、同様の効果がある。
【図面の簡単な説明】
【００２７】
【図１】本発明の第１の実施形態に係わるカートリッジ型ホログラム記録媒体の構成を示した平面図ある。
【図２】図１に示したカートリッジ型ホログラム記録媒体をホログラム装置にセットした場合の断面図である。
【図３】本発明の第２の実施形態に係わるカートリッジ型ホログラム記録媒体の構成を示した断面図である。
【図４】図３に示したアンテナ線を有する発熱体の構成を示した平面図である。
【図５】抵抗発熱体の構成を示した平面図である。
【図６】従来のカートリッジ型記録メディアの構成例を示した平面図である。
【符号の説明】
【００２８】
２０……カートリッジ型ホログラム記録媒体、３０１……カートリッジ筐体、３０２……ホログラム記録材料、３０３……シャッター、３０４……電磁誘導発熱体、３０５……発熱体、３０６……アンテナ線、３０７……抵抗発熱体、３０９、３１０……接点、４００……磁力発生装置、４０１……赤外線温度センサ、４０３……システム制御部、４０４……マイクロ波発生装置。
【図１】
2007018597.tif 000003
【図２】
2007018597.tif 000004
【図３】
2007018597.tif 000005
【図４】
2007018597.tif 000006
【図５】
2007018597.tif 000007
【図６】
2007018597.tif 000008